(57)【要約】【課題】  複数の周波数を有する信号を送信する送信機で、周波数特性を調整する。【解決手段】  周波数特性調整手段４が、送信対象となる信号の周波数特性を調整する。これに際して、周波数信号成分レベル検出手段６が、周波数特性調整手段４による周波数特性調整後の信号に含まれる所定の２以上の周波数の信号成分のレベルを検出する。そして、周波数特性調整制御手段７、１が、周波数信号成分レベル検出手段６による２以上の周波数の信号成分についてのレベル検出値を近づけるように、周波数特性調整手段４による周波数特性調整を制御する。【選択図】  図１
2005123673.tif 000002
【特許請求の範囲】
【請求項１】
複数の周波数を有する信号を送信する送信機において、
送信対象となる信号の周波数特性を調整する周波数特性調整手段と、
周波数特性調整手段による周波数特性調整後の信号に含まれる所定の２以上の周波数の信号成分のレベルを検出する周波数信号成分レベル検出手段と、
周波数信号成分レベル検出手段による２以上の周波数の信号成分についてのレベル検出値を近づけるように周波数特性調整手段による周波数特性調整を制御する周波数特性調整制御手段と、
を備えたことを特徴とする送信機。
【発明の詳細な説明】
【技術分野】
【０００１】
本発明は、例えば、複数の周波数を有する信号を送信する送信機に関し、特に、周波数特性を調整する技術に関する。
【背景技術】
【０００２】
例えば、無線により信号を送信する送信機では、送信対象となる信号を増幅器により増幅することが行われている。また、送信機では、離散的或いは連続的に配置された複数の異なる周波数を有する信号を送信する場合があり、このような場合には、増幅器において相互変調歪などの歪が発生することがある。
【発明の開示】
【発明が解決しようとする課題】
【０００３】
しかしながら、従来の送信機では、複数の周波数を有する信号を処理するに際して、例えば周波数特性の変動が生じるような場合に対処することができないといった問題があり、特に、増幅器として高出力増幅器が用いられるような場合には、周波数特性のわずかなずれでも特性劣化に大きく影響してしまうため、顕著な問題となってしまう。
本発明は、このような従来の事情に鑑み為されたもので、複数の周波数を有する信号を送信するに際して、周波数特性を調整することができる送信機を提供することを目的とする。
【課題を解決するための手段】
【０００４】
上記目的を達成するため、本発明に係る送信機では、複数の周波数を有する信号を送信するに際して、次のような処理を行う。
すなわち、周波数特性調整手段が、送信対象となる信号の周波数特性を調整する。これに際して、周波数信号成分レベル検出手段が、周波数特性調整手段による周波数特性調整後の信号に含まれる所定の２以上の周波数の信号成分のレベルを検出する。そして、周波数特性調整制御手段が、周波数信号成分レベル検出手段による２以上の周波数の信号成分についてのレベル検出値を近づけるように、周波数特性調整手段による周波数特性調整を制御する。
【０００５】
従って、複数の周波数を有する信号を処理するに際して、周波数特性を調整することができ、また、例えば、周波数特性の変動が生じるような場合においても、周波数特性調整後の信号に基づいて周波数特性の調整を制御することができ、良好な周波数特性を実現することができる。
【０００６】
ここで、送信対象となる信号である複数の周波数を有する信号としては、種々な信号が用いられてもよい。
また、複数の周波数を有する信号としては、例えば、所定の周波数間隔で離散的に配置された任意の複数の周波数のキャリア信号から構成されたマルチキャリア信号を用いることができ、また、複数の周波数が連続的に並べられて所定の周波数帯域幅を有するような信号を用いることも可能である。
【０００７】
また、周波数特性調整手段により周波数特性を調整する態様としては、種々な態様が用いられてもよく、例えば、周波数特性調整手段を構成する回路素子の可変な特性値を変化させることにより、当該周波数特性調整手段のレベルなどに関する周波数特性を変化させるような態様を用いることができる。
【０００８】
また、周波数信号成分レベル検出手段によるレベル検出の対象となる所定の2以上の周波数の信号成分に関して、所定の2以上の周波数の数としては、種々な数が用いられてもよい。また、所定の2以上の周波数のそれぞれとしては、種々な周波数が用いられてもよい。
また、レベルとしては、種々なものが用いられてもよく、例えば、電力のレベルや、振幅のレベルなどを用いることができる。
【０００９】
また、周波数信号成分レベル検出手段により所定の2以上の周波数の信号成分のレベルを検出する対象となる周波数特性調整手段による周波数特性調整後の信号としては、種々な信号が用いられてもよく、例えば、高出力増幅器などから構成される送信部の前段或いは中段に周波数特性調整手段の機能部が備えられる場合には当該送信部から出力される信号或いは更に後段の処理部から出力される信号を用いることができ、また、例えば、高出力増幅器などから構成される送信部の後段に周波数特性調整手段の機能部が備えられる場合には当該周波数特性調整手段の機能部から出力される信号或いは更に後段の処理部から出力される信号を用いることができる。
【００１０】
つまり、周波数信号成分レベル検出手段により所定の2以上の周波数の信号成分のレベルを検出する対象となる周波数特性調整手段による周波数特性調整後の信号として、周波数特性のずれ或いは変動を発生させるような処理部と周波数特性を調整する周波数特性調整手段の機能部との両方と比べて後段の信号を用いると、周波数特性調整によっても補償できていない周波数特性のずれ或いは変動の成分を検出することができ、当該検出結果に基づいて周波数特性調整をフィードバック制御することにより、当該周波数特性のずれ或いは変動の成分を低減することが可能である。
【００１１】
また、周波数信号成分レベル検出手段による2以上の周波数の信号成分についてのレベル検出値を近づけるように制御を行う態様としては、種々な態様が用いられてもよく、例えば、これらのレベル検出値の差がゼロ或いは小さくなるように制御を行うような態様を用いることができる。
【００１２】
以下で、更に、本発明に係る構成例を示す。
一構成例として、周波数信号成分レベル検出手段によるレベル検出の対象となる所定の2以上の周波数の信号成分に関して、所定の２以上の周波数として、所定の２つの周波数が用いられる。また、一構成例として、所定の２つの周波数として、送信対象となる信号が配置される周波数領域の中で、最も低い周波数或いはこれに近似する周波数と、最も高い周波数或いはこれに近似する周波数が用いられる。
このように、送信対象となる信号が配置される周波数領域の両端或いはこれに近似する2つの周波数を基準としてこれら2つの周波数についてのレベル検出値を近づけることにより、当該周波数領域の全体にわたって信号レベルの一定化を図ることが可能である。
【００１３】
一構成例として、周波数特性調整手段は、容量可変ダイオードを用いて構成されており、当該容量可変ダイオードの容量が変化させられることにより、通過する信号の周波数特性に与える影響が変化させられる、つまり、通過後の信号の周波数特性が変化させられる。また、周波数特性調整制御手段は、周波数特性調整手段の容量可変ダイオードの容量を変化させる。
【００１４】
一構成例として、周波数特性調整制御手段は、２以上の周波数の信号成分についてのレベル検出値の差を検出するレベル検出値差検出手段と、レベル検出値差検出手段により検出される差が小さくなるように周波数特性調整手段による周波数特性調整を制御するレベル検出値差制御手段を用いて構成される。
【００１５】
一構成例として、周波数信号成分レベル検出手段は、周波数特性調整手段による周波数特性調整後の信号に含まれる所定の２以上の周波数の信号成分のそれぞれを分離して抽出する周波数信号成分分離抽出手段と、周波数信号成分分離抽出手段により抽出されるそれぞれの周波数の信号成分のレベルを検出するレベル検出手段を用いて構成される。
【００１６】
本発明は、例えば、ＣＤＭＡ（Code Division Multiple Access）方式や、Ｗ（Wide band）−ＣＤＭＡ方式や、マルチキャリア信号の通信などに適用することができる。
また、本発明は、例えば、携帯電話システムや簡易型携帯電話システム（ＰＨＳ：Personal Handy phone System）などの移動体通信システムや、無線通信や、送信装置や、通信装置や、基地局装置や、移動局装置や、高出力増幅装置などに適用することができる。
【発明の効果】
【００１７】
以上説明したように、本発明に係る送信機によると、複数の周波数を有する信号を送信するに際して、送信対象となる信号の周波数特性を調整する周波数特性調整機能を有し、周波数特性調整後の信号に含まれる所定の２以上の周波数の信号成分のレベルを検出して、これら２以上の周波数の信号成分についてのレベル検出値を近づけるように周波数特性調整機能による周波数特性調整を制御するようにしたため、例えば、温度や経年変化や個体差などで周波数特性の変動が生じるような場合においても、周波数特性を適切に調整して、良好な周波数特性を実現することができる。
【発明を実施するための最良の形態】
【００１８】
本発明に係る一実施例を図面を参照して説明する。
図１には、本発明の一実施例に係る周波数特性調整回路付きの無線送信機の構成例を示してある。
本例の無線送信機には、ＣＰＵ（Central Processing Unit）１と、変調部２と、例えば高出力増幅器を含む送信部３と、周波数特性調整回路４と、分配器５と、スペクトル解析部６と、電力比較部７が備えられている。
【００１９】
ＣＰＵ１は、各種の処理や制御を行い、具体的には、送信部３の構成部品であるシンセサイザなどを設定や動作させることや、電力比較部７による比較結果に基づいて周波数特性調整回路４を制御することや、送信対象となるデータを変調部２へ出力することなどを行う。
変調部２は、ＣＰＵ１から入力されるデータを用いて変調信号を生成し、生成した変調信号を送信部３へ出力する。
【００２０】
送信部３は、例えば、ＣＰＵ１により制御されて所要の周波数に設定されるシンセサイザと、信号の周波数を希望の送信周波数へ変換する周波数変換器と、送信機で必要となる所定の増幅度を有する低出力増幅器及び高出力増幅器と、所要の周波数帯域及び減衰量の特性を有するフィルタを用いて構成されている。そして、送信部３は、変調部２から入力される変調信号に対して周波数変換処理や増幅処理やフィルタ処理を行い、これらの処理後の信号を周波数特性調整回路４へ出力する。なお、フィルタとしては、例えば、帯域ろ波を行う帯域通過フィルタ（ＢＰＦ：Band Pass Filter）や、低域ろ波を行う低域通過フィルタ（ＬＰＦ：Low Pass Filter）や、高域ろ波を行う高域通過フィルタ（ＨＰＦ：High Pass Filter）のうちの１以上が用いられる。
【００２１】
周波数特性調整回路４は、ＣＰＵ１により制御されて、周波数特性の調整を行う。送信部３から出力される信号は、周波数特性調整回路４を通過して、分配器５へ出力される。周波数特性調整回路４では、例えば、ＣＰＵ１からの命令に従って容量可変ダイオードの容量が可変に変化させられることにより、周波数特性を可変に変化させる。なお、本例では、周波数特性調整回路４を送信部３の後段に備えた場合を示すが、他の構成例として、送信部３の前段或いは中段に周波数特性調整回路４を備えるような構成を用いることも可能である。
【００２２】
分配器５とスペクトル解析部６と電力比較部７は、出力信号の周波数特性を解析するために、周波数特性調整回路４の後段に備えられている。
分配器５は、信号を2分する機能を有しており、周波数特性回路４から入力される出力対象の信号の一部を取得してスペクトル解析部６へ出力する。
【００２３】
スペクトル解析部６は、スペクトル解析を行う機能を有しており、本例では、分配器５から入力される信号に含まれる２つの周波数に関して解析を行い、当該解析結果として得られる電力値を電力比較部7へ出力する。
電力比較部７は、スペクトル解析部６から入力される２つの周波数に関する電力値の大小を比較して、当該比較結果の情報（電力比較情報）をＣＰＵ1へ出力する。
【００２４】
そして、ＣＰＵ１は、電力比較部７から入力される電力比較情報に基づいて、例えば、上記した２つの周波数に関する電力値の差分が最小となるように、周波数特性調整回路４を制御する。これにより、ＣＰＵ１は、出力信号の周波数特性の情報に基づいて周波数特性調整回路４による周波数特性の調整を制御して、周波数特性を改善することが可能である。
【００２５】
図２には、周波数特性調整回路４の構成例を示してある。
本例の周波数特性調整回路４は、図示されるように、入力端と出力端との間に容量可変ダイオードＤ１とコンデンサＣ１を直列に接続して、入力端と出力端のそれぞれをコイルＬ１、Ｌ２を介して接地し、容量可変ダイオードＤ１とコンデンサＣ１との間の点に抵抗Ｒ１の一端を接続し、当該抵抗の他端にＤ／Ａ（Digital to Analog）変換器１１を接続して構成されている。ＣＰＵ１から出力される制御信号（容量可変信号）が、Ｄ／Ａ変換器１１を介して、抵抗Ｒ１に入力される。
なお、「容量可変ダイオード」の呼び名としては、例えば「可変容量ダイオード」であってもよい。
【００２６】
図３には、スペクトル解析部６の構成例を示してある。
スペクトル解析部６は、本例では、ミキサ２１と、２つの帯域通過フィルタ（ＢＰＦ）２２、２３と、２つの電力検出部２４、２５から構成されている。また、本例では、送信対象となる信号としてＷ−ＣＤＭＡシステムにおける２ＧＨｚ帯のマルチキャリア信号が用いられて、当該マルチキャリア信号が４つの周波数ｆ１、ｆ２、ｆ３、ｆ４（ｆ１＜ｆ２＜ｆ３＜ｆ４）のそれぞれを有する４つのキャリア信号から構成されるとし、一方の帯域通過フィルタ２２及び一方の電力検出部２４は最小の周波数ｆ１に対応しており、他方の帯域通過フィルタ２３及び他方の電力検出部２５は最大の周波数ｆ４に対応している。
【００２７】
ミキサ２１は、分配器５から出力される信号（送信対象となる信号の一部）とローカル信号とを入力し、これらの信号を混合（ミキシング）することにより、分配器５から入力される信号をベースバンド帯域の信号へ変換する。
以降の処理では、それぞれの周波数ｆ１、ｆ２、ｆ３、ｆ４はベースバンド帯域の周波数へ変換されているが、説明の便宜上から、同じ符号ｆ１、ｆ２、ｆ３、ｆ４を用いて説明する。
【００２８】
一方の帯域通過フィルタ２２は、ミキサ２１から出力されるベースバンド信号に含まれる周波数ｆ１に対応する信号を通過させて他の周波数ｆ２、ｆ３、ｆ４に対応する信号を十分に減衰させる特性を有しており、帯域制限した通過信号を一方の電力検出部２４へ出力する。
一方の電力検出部２４は、一方の帯域通過フィルタ２２から入力される周波数ｆ１に対応する信号の電力の値を検出し、当該検出値（電力値）を第１のスペクトル解析結果として電力比較部7へ出力する。
【００２９】
他方の帯域通過フィルタ２３は、ミキサ２１から出力されるベースバンド信号に含まれる周波数ｆ４に対応する信号を通過させて他の周波数ｆ１、ｆ２、ｆ３に対応する信号を十分に減衰させる特性を有しており、帯域制限した通過信号を他方の電力検出部２５へ出力する。
他方の電力検出部２５は、他方の帯域通過フィルタ２３から入力される周波数ｆ４に対応する信号の電力の値を検出し、当該検出値（電力値）を第２のスペクトル解析結果として電力比較部7へ出力する。
【００３０】
ここで、図４、図５、図６のそれぞれには、周波数特性調整回路４に関する周波数特性の一例を示してある。図４には周波数特性調整回路４の容量可変ダイオードＤ１の容量が約４ｐＦである場合の例を示してあり、図５には周波数特性調整回路４の容量可変ダイオードＤ１の容量が約５ｐＦである場合の例を示してあり、図６には周波数特性調整回路４の容量可変ダイオードＤ１の容量が約３ｐＦである場合の例を示してある。
【００３１】
また、それぞれの図４、５、６のグラフでは、横軸は周波数［ＭＨｚ］を示しており、縦軸は周波数特性［ｄＢ］を示している。
これらの図に示されるように、図４に示した場合に最も周波数特性が良好であり、図５に示した場合や図６に示した場合には周波数特性が多少劣化する。
なお、それぞれの図４、５、６のグラフでは、周波数特性調整回路４からの出力信号の周波数特性Ｐ１、Ｐ２、Ｐ３の一例及び周波数特性調整回路４の周波数特性Ｑ１、Ｑ２、Ｑ３の一例を示してある。
【００３２】
次に、本例の無線送信機により行われる動作の一例を示す。
送信信号を生成する変調部２から送信アナログ信号（変調信号）が出力され、当該アナログ信号を周波数変換や電力増幅や帯域制限を行う送信部３に入力する。送信部３から出力されるアナログ信号の帯域内周波数特性を周波数特性調整可能な周波数特性調整回路４がＣＰＵ１からの命令で補正し、当該補正されたアナログ信号が送信される。
【００３３】
また、周波数特性調整回路４からの出力が分配器５により送信機出力用とスペクトル解析部６への入力用に分配され、スペクトル解析部６及び電力比較部７から構成されるフィードバック制御系からの情報に基づいてＣＰＵ1が周波数特性調整回路４を制御する。
具体的には、電力比較部７では、スペクトル解析部６から入力される周波数ｆ１に対応する電力値と周波数ｆ４に対応する電力値との差（電力差分）を検出し、当該検出結果に基づいて、周波数特性が例えば上記図５に示されるように右下がりの特性（高周波数側で下がる特性）であるか、或いは、周波数特性が例えば上記図６に示されるように右上がりの特性（高周波数側で上がる特性）であるかを判断し、当該判断結果を示す情報（電力比較情報）をＣＰＵ１へ出力する。
【００３４】
また、ＣＰＵ１では、電力比較部７から入力される電力比較情報に基づいて、送信対象となる信号についての周波数特性を補正するように、周波数特性調整回路４の容量可変ダイオードＤ１の容量を変化させるための制御信号（容量可変信号）を周波数特性調整回路４のＤ／Ａ変換器１１へ出力する。これにより、周波数特性のずれが吸収されてゼロ或いは小さくなり、つまり、本例では、上記図４に示した周波数特性或いはそれに近い特性となる。
【００３５】
以上のように、本例の無線送信機では、入力される信号のレベルを調整するレベル調整機能を有した周波数特性調整回路４と、周波数特性調整回路４から出力される信号の一部を分配して取り出す分配機能を有した分配器５と、分配器５により取り出された信号をスペクトル解析するスペクトル解析機能及びスペクトル解析により得られた信号から第１の電力値と第２の電力値を検出する電力検出機能を有したスペクトル解析部６と、スペクトル解析部６の電力検出機能により検出した第１の電力値と第２の電力値との電力差分情報を算出する電力比較機能を有した電力比較部７と、電力比較部７により算出された電力差分情報をもとに周波数特性調整回路４のレベル調整機能を制御する制御機能を有したＣＰＵ１を備えた。
【００３６】
このように、本例の無線送信機では、周波数特性調整回路４を設けることにより当該無線送信機の周波数特性を調整し、これに際して、出力電力をスペクトル解析して２つの周波数ｆ１、ｆ４に対応する所定の帯域内の電力値を検出し、当該検出した電力値を比較して、ＣＰＵ１がこれらの電力値が一定になるように周波数特性調整回路４を制御する。これにより、例えば、人による操作が無くとも、自動で周波数特性を調整することも可能である。
【００３７】
従って、本例の無線送信機では、例えばＡ級以外のＢ級やＡＢ級やＣ級などの高出力増幅器の規定出力での周波数特性を広帯域で調整することができ、３次歪や５次歪のバランスをとることができる。また、自動調整も可能であるため、必ずしも人による手動作業を必要としない。
【００３８】
このように、本例では、無線送信機の周波数特性を改善することができ、特に、例えば、送信部３を構成する部品の一つである高出力増幅器の周波数特性を改善することができる。
具体的には、本例の無線送信機では、上記図４、図５、図６に示されるように、２０ＭＨｚ帯域幅の周波数特性を約０．３ｄＢ改善することができる。
【００３９】
ここで、本例では、コイルＬ１、Ｌ２やコンデンサＣ１や容量可変ダイオードＤ１を用いて構成されたπ型の高域通過フィルタ（ＨＰＦ）を周波数特性調整回路４として用いた場合を示し、周波数特性を約０．３ｄＢ改善した場合を示したが、他の構成例として、π型の低域通過フィルタ（ＬＰＦ）を組み合わせることや、フィルタの素子数を増やすことなどにより、帯域内周波数特性の改善量を増やす構成とすることも可能である。また、本例では、高域通過フィルタ（ＨＰＦ）や低域通過フィルタ（ＬＰＦ）などにより周波数特性調整回路４を構成することが可能であるため、例えば、もともと送信機として減衰量を設けることが必要な箇所を本例のような周波数特性調整回路４に置き換えることも可能である。
【００４０】
なお、本例の送信機では、送信対象となる信号である複数の周波数を有する信号として、４つの周波数ｆ１、ｆ２、ｆ３、ｆ４を有する信号が用いられている。
また、本例の送信機では、周波数特性調整回路４の機能により周波数特性調整手段が構成されており、スペクトル解析部６の機能により周波数信号成分レベル検出手段が構成されており、電力比較部７の機能やＣＰＵ１の機能により周波数特性調整制御手段が構成されている。
【００４１】
また、本例の周波数信号成分レベル検出手段では、帯域通過フィルタ（ＢＰＦ）２２、２３の機能により周波数信号成分分離抽出手段が構成されており、電力検出部２４、２５の機能によりレベル検出手段が構成されている。
また、本例の周波数特性調整制御手段では、電力比較部７の機能によりレベル検出値差検出手段が構成されており、ＣＰＵ１の機能によりレベル検出値差制御手段が構成されている。
【００４２】
以下で、本発明に関する技術の背景を示す。なお、ここで記載する事項は、必ずしも全てが従来の技術であるとは限定しない。
図７には、無線送信機の構成例を示してある。
ＣＰＵ３１は、送信部３３の構成部品であるシンセサイザなどを動作させる。変調部３２は、変調信号を生成する。送信部３３は、高出力増幅器を含み、変調信号の周波数変換や増幅やフィルタ処理などを行う。なお、フィルタとしては、帯域通過フィルタ（ＢＰＦ）や、低域通過フィルタ（ＬＰＦ）や、高域通過フィルタ（ＨＰＦ）が用いられる。
本例のように、従来の無線送信機では、周波数特性調整回路を有していない。
【００４３】
ここで、従来の無線送信機では、周波数変換器や低出力増幅器やフィルタは、線形領域で動作させているため、例えば、２０ＭＨｚ帯域の周波数特性に０．３ｄＢのずれがあっても、出力電力の違いによる特性劣化はそれほど生じず、つまり、例えば、０ｄＢｍ＝１ｍＷと０．３ｄＢｍ＝１．０７ｍＷとの違いによる効率や歪成分の劣化はそれほど生じない。
【００４４】
しかしながら、高出力増幅器は、例えばＡ級の線形増幅器以外の増幅器である例えばＢ級やＡＢ級やＣ級などの増幅器であれば、規定出力で整合していて周波数特性や効率や歪成分のバランスを取っているため、０．３ｄＢのずれであっても、出力電力の違いによる特性劣化が生じ、つまり、例えば、５０ｄＢｍ＝１００Ｗと５０．３ｄＢｍ＝１０７Ｗとの違いによる特性劣化が生じてしまう。そして、このような周波数特性の変動により、式２に示されるように、歪成分に関して、相互変調歪で０．６ｄＢの差が出てしまい、これにより、プラス側（高周波数側）の３次歪とマイナス側（低周波数側）の３次歪にアンバランスを生じてしまう。なお、従来では、このような変動分の特性劣化は、マージンで吸収していた。
【００４５】
ここで、非直線性の回路の入出力特性について説明する。
非直線性の回路の入出力特性は、べき級数に展開すると、式１のように表される。ｅｉは入力信号を表し、ｅｏは出力信号を表し、ｎは例えば２以上の数を表し、ａｋ（ｋ＝０、１、２、・・・、ｎ）はそれぞれの次数の係数を表す。
式１において、第１項は直流分を発生する要素であり、第２項は無歪出力を発生する要素であり、第３項以降は非直線歪を発生する要素である。
【００４６】
【数１】
2005123673.tif 000003
【００４７】
入力信号ｅｉとして、｛Ｅ１×ｃｏｓ（ω１×ｔ）｝及び｛Ｅ２×ｃｏｓ（ω２×ｔ）｝という２つの信号がある場合には、出力信号ｅｏは式２のように表される。Ｅ１やＥ２は信号のレベルを表し、ω１やω２は角振動数を表し、ｔは時間を表す。
【００４８】
【数２】
2005123673.tif 000004
【００４９】
上記式２において、入出力伝送特性の偶数次の項からは直流成分とその次数以下の偶数次スペクトルが発生し、入出力伝送特性の奇数次の項からはその次数以下の奇数次スペクトルが発生する。
ここで、３次スペクトルに注目すると、（２×ω１−ω２）及び（２×ω２−ω１）の周波数を有する歪成分が発生する。また、上記式２では記載を省略したが、５次の項からは、（３×ω１−２×ω２）及び（３×ω２−２×ω１）の周波数を有する歪成分が発生する。
【００５０】
図８（ａ）には、入力信号スペクトルの一例として、周波数ｆ１を有する信号及び周波数ｆ２（＝ｆ１＋５ＭＨｚ）を有する信号を示してある。また、図８（ｂ）には、この場合における出力信号スペクトルの一例として、入力信号に対応する周波数ｆ１を有する信号及び周波数ｆ２を有する信号と、高周波数側の歪成分である周波数（２×ｆ２−ｆ１）を有する３次歪成分の信号及び周波数（３×ｆ２−２×ｆ１）を有する５次歪成分の信号と、低周波数側の歪成分である周波数（２×ｆ１−ｆ２）を有する３次歪成分の信号及び周波数（３×ｆ１−２×ｆ２）を有する５次歪成分の信号を示してある。なお、図８（ａ）、（ｂ）のグラフでは、横軸は周波数［ＭＨｚ］を示しており、縦軸は信号のレベルを示してある。
【００５１】
例えば、周波数ω１と周波数ω２とが互いに近接した周波数であるとすると、上記図８（ｂ）に示されるように、歪成分もこれらの近傍の周波数に発生する。また、３次スペクトルの相互変調成分の大きさとしては、具体的に、周波数（２×ω１−ω２）のスペクトルを例とすると、周波数ω１を有する入力信号のレベルＥ１の２乗に比例し、周波数ω２を有する入力信号のレベルＥ１には１対１で比例しておりつまり当該レベルＥ１の１乗に比例する。従って、周波数ω１を有する信号のレベルを１ｄＢ増すと歪成分は２ｄＢ大きくなり、周波数ω２を有する信号のレベルを１ｄＢ増すと歪成分は１ｄＢ大きくなる。
以上において、本発明に関する技術の背景を示した。
【００５２】
ここで、本発明に係る送信機などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
【００５３】
また、本発明に係る送信機などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００５４】
【図１】本発明の一実施例に係る周波数特性調整回路付き無線送信機の構成例を示す図である。
【図２】周波数特性調整回路の構成例を示す図である。
【図３】スペクトル解析部の構成例を示す図である。
【図４】容量可変ダイオードの容量が約４ｐＦである場合の周波数特性の一例を示す図である。
【図５】容量可変ダイオードの容量が約５ｐＦである場合の周波数特性の一例を示す図である。
【図６】容量可変ダイオードの容量が約３ｐＦである場合の周波数特性の一例を示す図である。
【図７】送信機の構成例を示す図である。
【図８】相互変調歪の一例を示す図である。
【符号の説明】
【００５５】
１・・ＣＰＵ、  ２・・変調部、  ３・・送信部、
４・・周波数特性調整回路、  ５・・分配器、
６・・スペクトル解析部、  ７・・電力比較部、
１１・・Ｄ／Ａ変換器、  Ｒ１・・抵抗、
Ｄ１・・容量可変ダイオード、  Ｃ１・・コンデンサ、
Ｌ１、Ｌ２・・コイル、  ２１  ・・ミキサ、
２２、２３・・帯域通過フィルタ（ＢＰＦ）、
２４、２５・・電力検出部、+
【図１】
2005123673.tif 000005
【図２】
2005123673.tif 000006
【図３】
2005123673.tif 000007
【図４】
2005123673.tif 000008
【図５】
2005123673.tif 000009
【図６】
2005123673.tif 000010
【図７】
2005123673.tif 000011
【図８】
2005123673.tif 000012